(57)【要約】【課題】紙本と電子書籍の異質感を解消し、目通しが容易であるようにした電子書籍端末機におけるページを転換する方法及びその装置を提供する。【解決手段】電子書籍端末機におけるページを転換する方法において、左右のページで電子書籍を表示する段階と、ページ転換信号が発生すると、紙本のページをめくるように左のページを右に、又は右のページを左にめくるアクションを表示しながらページを転換する段階とを有する。【選択図】      図７
2012094145.tif 000002
【特許請求の範囲】
【請求項１】
電子書籍端末機におけるページを転換する方法において、
前記電子書籍端末機の表示部に左右のページで電子書籍を表示する段階と、
ページ転換信号が発生すると、紙本のページをめくるように左のページを右に、又は右のページを左にめくるアクションを表示しながらページを転換する段階とを有することを特徴とする電子書籍端末機におけるページを転換する方法。
【請求項２】
前記ページ転換信号が連続して発生する場合、ページを連続してめくるアクションを表示しながらページを転換する段階を更に有することを特徴とする請求項１に記載の電子書籍端末機におけるページを転換する方法。
【請求項３】
前記発生したページ転換信号が連続しない場合、一枚のページをめくるアクションを表示しながらページを転換する段階を更に有することを特徴とする請求項２に記載の電子書籍端末機におけるページを転換する方法。
【請求項４】
前記ページ転換信号が連続して発生し、可変速度信号が後行して発生する場合、前記可変速度信号に応じた速さでページを連続してめくるアクションを表示しながらページを転換し、
前記ページ転換信号は連続して発生するが可変速度信号が後行して発生しない場合、予め設定された基準速度でページを連続してめくるアクションを表示しながらページを転換する段階を更に有することを特徴とする請求項２に記載の電子書籍端末機におけるページを転換する方法。
【請求項５】
前記ページ転換信号が中止されると、ページ転換を終了する段階を更に有することを特徴とする請求項２に記載の電子書籍端末機におけるページを転換する方法。
【請求項６】
前記ページ転換信号が中止されると、ページ転換を終了する段階を更に有することを特徴とする請求項３に記載の電子書籍端末機におけるページを転換する方法。
【請求項７】
前記電子書籍端末機は、タッチスクリーンに前記電子書籍を表示し、
前記電子書籍は左右のページ両側に、前記タッチスクリーン画面の上下にタッチ移動が可能なタッチボタンが提供され、
左のページのタッチボタンは前記左のページを右にめくるときに使用し、右のページのタッチボタンは前記右のページを左にめくるときに使用し、
前記タッチボタンがタッチされた後、解除されると前記ページ転換信号が発生し、前記タッチボタンが所定の臨界値時間以上タッチされると前記ページ転換信号が連続して発生し、
前記ページ転換信号の連続発生に後行して、上にタッチ移動を行えば行うほどページを更に速くめくる可変速度信号が発生し、下にタッチ移動を行えば行うほどページを更に遅くめくる可変速度信号が発生することを特徴とする請求項４に記載の電子書籍端末機におけるページを転換する方法。
【請求項８】
前記電子書籍端末機は、タッチスクリーンに前記電子書籍を表示し、
右のページが表示されたタッチ領域をタッチした後、解除すると前記右のページを左にめくるページ転換信号が発生し、左のページが表示されたタッチ領域をタッチした後、解除すると前記左のページを右にめくるページ転換信号が発生し、
前記右のページが表示されたタッチ領域を所定の臨界値時間以上タッチすると前記右のページを連続して左にめくるよう前記ページ転換信号が連続して発生し、前記左のページが表示されたタッチ領域を前記所定の臨界値時間以上タッチすると前記左のページを連続して右にめくるよう前記ページ転換信号が連続して発生し、
前記ページ転換信号の連続発生に後行して、前記タッチ領域で、上にタッチ移動を行えば行うほどページを更に速くめくる可変速度信号が発生し、下にタッチ移動を行えば行うほどページを更に遅くめくる可変速度信号が発生することを特徴とする請求項４に記載の電子書籍端末機におけるページを転換する方法。
【請求項９】
前記電子書籍端末機は、タッチスクリーンに前記電子書籍を表示し、
右のページが表示されたタッチ領域をタッチした後、所定の臨界値時間内で左にタッチ移動を行ってから解除すると前記右のページ一枚を左にめくるページ転換信号が発生し、左のページが表示されたタッチ領域をタッチした後、前記所定の臨界値時間内で右にタッチ移動を行ってから解除すると前記左のページ一枚を右にめくるページ転換信号が発生し、
前記右のページが表示されたタッチ領域をタッチした後、前記所定の臨界値時間以上でタッチ移動を行うと前記右のページを連続して左にめくるよう前記ページ転換信号が連続して発生し、前記左のページが表示されたタッチ領域をタッチした後、前記所定の臨界値時間以上でタッチ移動を行うと前記左のページを連続して右にめくるよう前記ページ転換信号が連続して発生し、
前記右のページを連続して左にめくるよう前記ページ転換信号が連続発生し、それに後行して左に更にタッチ移動を行えば行うほど、ページを更に速くめくる可変速度信号が発生し、前記左のページを連続して右にめくるよう前記ページ転換信号が連続発生し、それに後行して右に更にタッチ移動を行えば行うほど、ページを更に速くめくる可変速度信号が発生することを特徴とする請求項４に記載の電子書籍端末機におけるページを転換する方法。
【請求項１０】
前記電子書籍端末機は、ＬＣＤ（Ｌｉｑｕｉｄ  Ｃｒｙｓｔａｌ  Ｄｉｓｐｌａｙ）に前記電子書籍を表示し、前記ＬＣＤの左右に上下移動が可能なジョグキーを具備し、
左のページの方のジョグキーは前記左のページを右にめくるときに使用し、右のページの方のジョグキーは前記右のページを左にめくるときに使用し、
前記ジョグキーが押された後、解除されると前記ページ転換信号が発生し、前記ジョグキーが所定の臨界値時間以上押されると前記ページ転換信号が連続して発生し、
前記ページ転換信号の連続発生に後行して、前記ジョグキーが上に移動すればするほどページを更に速くめくる可変速度信号が発生し、下に移動すればするほどページを更に遅くめくる可変速度信号が発生することを特徴とする請求項４に記載の電子書籍端末機におけるページを転換する方法。
【請求項１１】
前記電子書籍端末機は、ＬＣＤに前記電子書籍を表示し、前記ＬＣＤの下端に左右移動が可能なジョグキーを具備し、
前記ジョグキーが左に移動された後、所定の臨界値時間内に解除されると前記左のページを右にめくるページ転換信号が発生し、前記ジョグキーが右に移動された後、前記所定の臨界値時間内に解除されると前記右のページを左にめくるページ転換信号が発生し、
前記ジョグキーが前記所定の臨界値時間以上で左又は右に移動すると、ページを連続してめくるよう前記ページ転換信号が連続して発生し、
前記ページ転換信号の連続発生に後行して、前記ジョグキーが更に左に又は右に移動すればするほど、ページを更に速くめくる前記可変速度信号が発生することを特徴とする請求項４に記載の電子書籍端末機におけるページを転換する方法。
【請求項１２】
前記電子書籍端末機は、ＬＣＤに前記電子書籍を表示し、前記ＬＣＤの左右に圧力センサを有するドームキーを具備し、
左のページの方のドームキーは前記左のページを右にめくるときに使用し、右のページの方のドームキーは前記右のページを左にめくるときに使用し、
前記ドームキーが押された後、所定の臨界値時間内に解除されると、ページを一枚めくるよう前記ページ転換信号が発生し、
前記ドームキーが前記所定の臨界値時間以上押されると、ページを連続してめくるよう前記ページ転換信号が連続して発生し、
前記ページ転換信号の連続発生に後行して、前記圧力センサは圧力の大きさを感知し、この感知された圧力の大きさに比例する前記可変速度信号を発生させることを特徴とする請求項４に記載の電子書籍端末機におけるページを転換する方法。
【請求項１３】
電子書籍端末機におけるページを転換する装置において、
前記電子書籍端末機の表示部に左右のページで電子書籍を表示する段階と、
ページ転換信号が発生すると、紙本のページをめくるように左のページを右に、又は右のページを左にめくるアクションを表示しながらページを転換する段階とを実行する制御部を有することを特徴とする電子書籍端末機におけるページを転換する装置。
【請求項１４】
前記制御部は、前記ページ転換信号が連続して発生する場合、ページを連続してめくるアクションを表示しながらページを転換する段階を更に実行することを特徴とする請求項１３に記載の電子書籍端末機におけるページを転換する装置。
【請求項１５】
前記制御部は、前記発生したページ転換信号が連続しない場合、一枚のページをめくるアクションを表示しながらページを転換する段階を更に実行することを特徴とする請求項１４に記載の電子書籍端末機におけるページを転換する装置。
【請求項１６】
前記制御部は、前記ページ転換信号が連続して発生し、可変速度信号が後行して発生する場合、前記可変速度信号に応じた速さでページを連続してめくるアクションを表示しながらページを転換し、
前記ページ転換信号は連続して発生するするが可変速度信号が後行して発生しない場合、予め設定された基準速度でページを連続してめくるアクションを表示しながらページを転換する段階を更に実行することを特徴とする請求項１４に記載の電子書籍端末機におけるページを転換する装置。
【請求項１７】
前記制御部は、前記ページ転換信号が中止されると、ページ転換を終了する段階を更に実行することを特徴とする請求項１４に記載の電子書籍端末機におけるページを転換する装置。
【請求項１８】
前記制御部は、前記ページ転換信号が中止されると、ページ転換を終了する段階を更に実行することを特徴とする請求項１５に記載の電子書籍端末機におけるページを転換する装置。
【請求項１９】
前記電子書籍端末機は、ＬＣＤ（Ｌｉｑｕｉｄ  Ｃｒｙｓｔａｌ  Ｄｉｓｐｌａｙ）に前記電子書籍を表示し、前記ＬＣＤの下端に左右移動が可能なジョグキーを具備し、
前記ジョグキーを左に移動した後、所定の臨界値時間内に解除されると前記左のページを右にめくるページ転換信号が発生し、前記ジョグキーを右に移動した後、前記所定の臨界値時間内に解除されると前記右のページを左にめくるページ転換信号が発生し、
前記ジョグキーが前記所定の臨界値時間以上で左又は右に移動すると、ページを連続してめくるよう前記ページ転換信号が連続して発生し、
前記ページ転換信号の連続発生に後行して、前記ジョグキーが更に左に又は右に移動すればするほど、ページを更に速くめくる前記可変速度信号が発生することを特徴とする請求項１６に記載の電子書籍端末機におけるページを転換する装置。
【請求項２０】
前記電子書籍端末機は、ＬＣＤに前記電子書籍を表示し、前記ＬＣＤの左右に圧力センサを有するドームキーを具備し、
左のページの方のドームキーは前記左のページを右にめくるときに使用し、右のページの方のドームキーは前記右のページを左にめくるときに使用し、
前記ドームキーが押された後、所定の臨界値時間内に解除されると、ページを一枚のページをめくるよう前記ページ転換信号が発生し、
前記ドームキーが前記所定の臨界値時間以上押されると、ページを連続してめくるよう前記ページ転換信号が連続して発生し、
前記ページ転換信号の連続発生に後行して、前記圧力センサは圧力の大きさを感知し、この感知された圧力の大きさに比例する前記可変速度信号を発生させることを特徴とする請求項１６に記載の電子書籍端末機におけるページを転換する装置。
【発明の詳細な説明】
【技術分野】
【０００１】
本発明は電子書籍端末機に関し、特に電子書籍端末機における紙本を扱うようにページを転換する方法及びその装置に関するのものである。
【背景技術】
【０００２】
電子書籍（ｅ−ｂｏｏｋ：ｅｌｅｃｔｒｏｎｉｃ  ｂｏｏｋ）とは、図書として刊行されているか、刊行され得る著作物の内容をデジタルデータを利用して電子記録媒体・貯蔵装置に収録された後、有線、無線情報通信網を介してコンピュータや携帯端末機でその内容を読んだり、見たり、聞いたりすることができるようにしたデジタル図書を総称する。
【０００３】
電子書籍は紙本に比べ安価であり、オンライン購買を介して時間を節約することができ、必要な部分のみを別途に購入することもできる。最近、このような電子書籍は、読書をしながら動画を見たり背景音楽を聞いたりすることができ、ＰＤＡや携帯用端末機などにセーブして、いつどこでも容易に所望の本を探すこともできる。
近年、電子書籍産業は非常に速い速度で発展し、向上したスクリーン解像度、多様な編集機能などを備え、クリックだけでもページをめくることができ、メモはもちろん、テキストの拡大及び縮小、インターネット書店や図書館の文書検索及び内容ダウンロードなども可能となっている。
【０００４】
しかしながら、紙本に慣れている使用者は、電子書籍を扱うのに抵抗感がある可能性がある。例えば、一般的に電子書籍は紙本のページめくりとは異なる方法を提供しており、これは使用者に異質感を与える恐れがあるという問題がある。
【先行技術文献】
【特許文献】
【０００５】
【特許文献１】韓国特許第１０−０３８３５１８号明細書
【発明の概要】
【発明が解決しようとする課題】
【０００６】
そこで、本発明は上記従来の電子書籍における問題点に鑑みてなされたものであって、本発明の目的は、紙本と電子書籍の異質感を解消し、目通しが容易であるようにした電子書籍端末機におけるページを転換する方法及びその装置を提供することにある。
【課題を解決するための手段】
【０００７】
上記目的を達成するためになされた本発明による電子書籍端末機におけるページを転換する方法は、電子書籍端末機におけるページを転換する方法において、前記電子書籍端末機の表示部に左右のページで電子書籍を表示する段階と、ページ転換信号が発生すると、紙本のページをめくるように左のページを右に、又は右のページを左にめくるアクションを表示しながらページを転換する段階とを有することを特徴とする。
【０００８】
上記目的を達成するためになされた本発明による電子書籍端末機におけるページを転換する装置は、電子書籍端末機におけるページを転換する装置において、前記電子書籍端末機の表示部に左右のページで電子書籍を表示する段階と、ページ転換信号が発生すると、紙本のページをめくるように左のページを右に、又は右のページを左にめくるアクションを表示しながらページを転換する段階とを実行する制御部を有することを特徴とする。
【発明の効果】
【０００９】
本発明に係る電子書籍端末機におけるページを転換する方法及びその装置は、紙本との異質感を解消することができるという効果がある。
【図面の簡単な説明】
【００１０】
【図１】本発明の一実施形態による電子書籍端末機の斜視図である。
【図２】本発明の一実施形態による電子書籍端末機のブロック構成図である。
【図３】本発明の第１の実施形態によるタッチスクリーンが具備された電子書籍端末機におけるページを転換する方法を示す図である。
【図４】本発明の第２の実施形態によるタッチスクリーンが具備された電子書籍端末機におけるページを転換する方法を示す図である。
【図５】本発明の第３の実施形態によるタッチスクリーンが具備された電子書籍端末機におけるページを転換する方法を示す図である。
【図６】本発明の第４の実施形態によるＬＣＤが具備された電子書籍端末機におけるページ転換手段を示す図である。
【図７】本発明の実施形態によるタッチスクリーンが具備された電子書籍端末機におけるページを転換する手順を説明するためのフローチャートである。
【発明を実施するための形態】
【００１１】
次に、本発明に係る電子書籍端末機におけるページを転換する方法及びその装置を実施するための形態の具体例を図面を参照しながら説明する。
【００１２】
下記で本発明を説明するに当たって、関連する公知機能又は構成に対する具体的な説明が本発明の要旨を不明確にする恐れがあると判断される場合には、その詳細な説明を省略する。そして、後述する用語は本発明における機能を考慮して定義された用語であり、これは使用者、操作者の意図又は慣例などによって異なり得る。従って、その定義は、本明細書全般にかかる内容に基づいて下されるべきである。
本発明は、紙本と電子書籍の異質感を解消するため、電子書籍端末機におけるページを転換する方法に関する記述である。
【００１３】
図１は、本発明の一実施形態による電子書籍端末機の斜視図である。
図１を参照すると、電子書籍端末機（Ｅ−Ｂｏｏｋ  ｒｅａｄｅｒ）は電子書籍機能を具備した携帯用端末機であり、ＰＤＡ、モバイルフォンなどを含んでもよい。
【００１４】
電子書籍端末機１０は、画像を出力するディスプレイ１１と、キー入力のためのキーパッド１２を具備する。モバイルフォンは音声を出力するスピーカ１３と、音声を入力されるマイクロフォン１４を更に含んでもよい。
ディスプレイ１１は、数百万画素を有するＬＣＤ（Ｌｉｑｕｉｄ  Ｃｒｙｓｔａｌ  Ｄｉｓｐｌａｙ）であってもよい。また、もしＬＣＤにタッチスクリーン（ｔｏｕｃｈ  ｓｃｒｅｅｎ）が提供されると、ディスプレイ１１は補助的に、又はキーパッド１２に代わってデータ入力ユニットの機能を行うことができる。
【００１５】
特に、本発明の一実施形態による電子書籍端末機１０は、紙本と類似したページめくりを提供する。
電子書籍端末機１０は、ディスプレイ１２に紙本と類似した左右のページ（又は上下のページ）で構成される紙本を表示する。紙本の左右のページには、主となる刊行物と、付加されるページ番号、脚注などが表示されてもよい。
【００１６】
本発明の一実施形態による電子書籍は、キーパッド１２又はタッチスクリーンでページ転換信号が発生すると、紙本のページをめくることと同じアクションを見せ、ページを転換する。即ち、次のページを見るために、紙本のページがめくられるように右のページが左にめくられるアクションを見せる。また、以前のページを見るために、紙本のページがめくられるように左のページが右にめくられるアクションを見せる。
【００１７】
なお、電子書籍端末機１０は、ページをめくる速度を調節することができる。例えば、電子書籍端末機１０は、一般の紙本のページをゆっくり、又は早くめくることと同じアクションを見せる。従って、本発明の一実施形態による電子書籍は目通しが可能であり、一般の紙本を扱うようにページめくることで使用者の異質感を解消することができる。
【００１８】
図２は、本発明の一実施形態による電子書籍端末機のブロック構成図である。
図２を参照すると、電子書籍端末機は、表示する対象データをセーブするメモリ部２１と、メモリ部２１にセーブされたデータをデコーディングして出力された画像信号より画像を表示するディスプレイ部２２と、ディスプレイ部２２に出力される画面のページを転換するための使用者入力を受信する入力部２３と、動作の全般的な制御を行う制御部２４を含む。
【００１９】
制御部２４は、入力部２３で発生したページ転換信号に応じて、図１で説明した方法によって紙本のページをめくることと同じアクションを見せ、ページを転換するように制御する。また、制御部２４は、該当信号に応じてページをめくる速度を調節するように制御する。
【００２０】
以下で説明する図３〜図７の実施形態は右のページを左にめくる過程を示しており、左のページを右にめくる過程も同じであるため、これに対する説明は省略する。
【００２１】
図３は、本発明の第１の実施形態によるタッチスクリーンが具備された電子書籍端末機におけるページを転換する方法を示す図である。
図３を参照すると、左右のページで表示される電子書籍はタッチスクリーンに表示される。
タッチスクリーンには、左右のページの両端にページ転換のための信号を発生させるページ転換ボタンが提供される。
【００２２】
使用者が右のページの方のページ転換ボタンを短くタッチしてから解除、詳しくは、所定の時間を超過しないタッチの後、解除すると、右のページ一枚が紙本のページがめくられるように左にめくられるアクションが現れ、その後、次のページが表示される。
【００２３】
また、使用者の右のページの方のページ転換ボタンを長く押すと、即ち所定の臨界値時間以上タッチが続くと、右のページが予め設定された速さで連続して左にめくられるアクションが現れる。この際、使用者がページ転換ボタンを長く押した状態で上の方にタッチ移動を行えば行うほど、更に速く連続してページがめくられるアクションが現れる。逆に、使用者がページ転換ボタンを長く押した状態で下の方にタッチ移動を行えば行うほど、更に遅くページがめくられるアクションが現れる。
【００２４】
次に、タッチが解除されると、ページめくりが止まって該当ページが表示される。即ち、ページ転換信号が連続する場合には、連続してページがめくられるアクションを見せる。また、ページ転換信号が連続した状態で上の方に又は下の方にタッチ移動を行うと可変速度信号が発生し、この信号に応じてページを連続してめくる速さが調節される。この際、タッチ移動が中立位置に戻ると、可変速度信号は止まってページ転換信号のみが連続して発生し、連続するページ転換信号によって予め設定された基準速度でページを連続してめくるアクションが現れる。即ち、可変速度信号は、ページ転換信号に後行する。
【００２５】
図４は、本発明の第２の実施形態によるタッチスクリーンが具備された電子書籍端末機におけるページを転換する方法を示す図である。
図４を参照すると、左右のページで表示される電子書籍はタッチスクリーンに表示される。使用者が右のページの方のページが表示されたタッチ領域を所定の臨界値時間を超過しないタッチの後、解除すると、右のページ一枚が紙本のページがめくられるように左にめくられるアクションが現れ、次のページが表示される。
【００２６】
また、使用者の右のページが表示されたタッチ領域を長く押すと、即ち、所定の臨界値時間以上タッチが続くと、右のページが予め設定された速さで連続して左にめくられるアクションが現れる。この際、使用者がページ転換ボタンを長く押した状態で上の方にタッチ移動を行えば行うほど、更に速く連続してページがめくられるアクションが現れる。逆に、使用者がページ転換ボタンを長く押した状態で下の方にタッチ移動を行えば行うほど、更に遅くページがめくられるアクションが現れる。
【００２７】
次に、タッチが解除されると、ページめくりが止まって該当ページが表示される。即ち、ページ転換信号が連続する場合には、連続してページがめくられるアクションを見せる。また、ページ転換信号が連続した状態で上の方に又は下の方にタッチ移動を行うと可変速度信号が発生し、この信号に応じてページを連続してめくる速さは調節され得る。この際、タッチ移動が中立位置に戻ると、可変速度信号は止まってページ転換信号の連続発生のみが発生し、連続するページ転換信号によって予め設定された基準速度でページを連続してめくるアクションが現れる。即ち、可変速度信号は、ページ転換信号に後行する。
【００２８】
図５は、本発明の第３の実施形態によるタッチスクリーンが具備された電子書籍端末機におけるページを転換する方法を示す図である。
図５を参照すると、左右のページで表示される電子書籍はタッチスクリーンに表示される。使用者が右のページをタッチした後、左に所定の臨界値時間内でタッチ移動を行ってから解除、即ち、フリッキング（ｆｌｉｃｋｉｎｇ）タッチを行うと、ページ転換信号が発生し、ページ転換信号によって右のページ一枚が紙本のページがめくられるように左にめくられるアクションが現れ、その後次のページが表示される。
【００２９】
また、使用者が右のページをタッチした後、所定の臨界値時間以上でタッチ移動が行われるとページ転換信号が連続して発生し、連続するページ転換信号によって右のページが連続してめくられるアクションが現れる。次に、使用者がページ転換信号が連続して発生した後、左に更にタッチ移動を行えば行うほど、更に速く連続してページがめくられるアクションが現れる。逆に、使用者が連続するページ転換信号が発生した後、右に更にタッチ移動を行えば行うほど、更に遅くページがめくられるアクションが現れる。次に、使用者タッチが解除すると、該当ページが表示される。
【００３０】
即ち、ページ転換信号が連続する場合には連続してページがめくられるアクションを見せる。また、ページ転換信号が連続した状態で右に又は左にタッチ移動を行うと可変速度信号が発生し、この信号に応じてページを連続してめくる速さは調節され得る。タッチが解除されると、即ち、ページ転換信号が中止されると、ページめくりは止まって該当ページが表示される。この際、タッチ移動が中立位置に戻ると、可変速度信号は止まってページ転換信号の連続発生のみが発生し、連続するページ転換信号によって予め設定された基準速度でページを連続してめくるアクションが現れる。即ち、可変速度信号は、ページ転換信号に後行する。
【００３１】
図６は、本発明の第４の実施形態によるＬＣＤが具備された電子書籍端末機におけるページ転換手段を示す図である。
図６の（Ａ）を参照すると、左右のページで表示される電子書籍はＬＣＤに表示される。電子書籍端末機は、図３で説明したページ転換ボタンと同じ役割を果たすジョグキーをＬＣＤの周辺（図ではＬＣＤの両側）に提供する。
【００３２】
ジョグキーを一度押してから解除するとページ転換信号が発生し、ページ転換信号によって一枚のページが紙本のページがめくられるようなアクションを見せた後、次のページを表示する。また、ジョグキーを所定の臨界値時間以上押し続けるとページ転換信号が連続して発生し、この信号によってページが予め設定された速さで連続してめくられるアクションが現れる。
【００３３】
連続するページ転換信号に後行してジョグキーが上又は下に移動されると可変速度信号が発生し、この信号に応じてページを連続してめくる速さを調節することができる。この際、ジョグキーが再び中立に戻ると、可変速度信号は止まってページ転換信号の連続発生のみが発生し、連続するページ転換信号によって予め設定された基準速度でページを連続してめくるアクションが現れる。次にジョグキーが解除されると、即ち、ページ転換信号が中止されると、ページめくりは止まって該当ページが表示される。
【００３４】
図６の（Ｂ）を参照すると、左右のページで表示される電子書籍はＬＣＤに表示される。電子書籍端末機は、一つのジョグキーをＬＣＤの周辺（図ではＬＣＤの下側）に具備する。
使用者がジョグキーを中立位置から右に移動させた後、所定の臨界値時間内に解除するとページ転換信号が発生し、このページ転換信号によって左のページ一枚が紙本のページがめくられるように右にめくられるアクションを見せた後、次のページを表示する。
【００３５】
また、使用者がジョグキーを所定の臨界値時間以上で移動させるとページ転換信号が連続して発生し、この連続するページ転換信号によってページが予め設定された速さで連続してめくられるアクションが現れる。連続するページ転換信号に後行してジョグキーが更に右に移動をされればされるほど、ページを更に速くめくる前記可変速度信号が発生する。
【００３６】
図６の（Ｃ）を参照すると、左右のページで表示される電子書籍はＬＣＤに表示される。電子書籍端末機は、ＬＣＤの左右に圧力センサが具備されたドームキーを構成してなる。
使用者が右のページの方のドームキーを押してから解除、詳しくは、所定の時間を超過しないように加圧した後、解除すると、右のページ一枚が紙本のページがめくられるように左にめくられるアクションが現れ、その後次のページが表示される。
【００３７】
また、使用者が右のページの方のドームキーを長く押すと、即ち、所定の臨界値時間以上で押すとページ転換信号が連続して発生し、この信号に応じて右のページが予め設定された速さで連続して左にめくられるアクションが現れる。ページ転換信号が連続して発生すると、圧力センサはドームキーから伝達される圧力の大きさを感知し、この感知された圧力の大きさに比例する可変速度信号を発生させる。圧力センサから発生する可変速度信号に応じてページをめくる速度は調節され得る。次にドームキーが解除されると、即ち、ページ転換信号が中止されると、ページめくりは止まって該当ページが表示される。
【００３８】
図７は、本発明の実施形態によるタッチスクリーンが具備された電子書籍端末機におけるページを転換する手順を説明するためのフローチャートである。
図７を参照すると、制御部２４はステップ７０１で、右のページ転換信号が発生したことを感知する。
【００３９】
次に、制御部２４は、ステップ７０３で右のページ転換信号が連続された信号であるのかを確認する。感知した右のページ転換信号が連続する信号でなければ、制御部２４はステップ７０５に進行し、右のページ一枚を紙本のページがめくられるように左にめくるアクションを現しながら、次のページに転換されるように制御する。
【００４０】
もし、感知した右のページ転換信号が連続している場合、制御部２４はステップ７０７に進行し、可変速度信号が発生したのかどうかを確認する。上述したが、可変速度信号に応じてページをめくる速さは異なり、可変速度信号は連続するページ転換信号に後行する。
【００４１】
可変速度信号が発生していなければ、制御部２４はステップ７１３に進行し、予め設定された速さで右のページを紙本のページがめくられるように左側に連続してめくるアクションが現しながら、次のページに転換されるように制御する。次に、制御部２４は、ステップ７１５で右のページ転換信号が中止されたかどうかを確認する。ステップ７１５で右のページ転換信号が中止されると制御部２４はページ転換を終了するようにし、右のページ転換信号が中止されないとステップ７０７に再進入するようにする。
【００４２】
しかし、ステップ７０７で可変速度信号が発生した場合、制御部２４はステップ７０９に進行し、可変速度信号に応じた速さで右のページを紙本のページがめくられるように左側に連続してめくるアクションが現しながら、ページを転換するように制御する。
【００４３】
次に、制御部２４は、ステップ７１１でページ転換信号が中止されたかどうかを確認する。ページ転換信号が中止されると、制御部２４はステップ７１７以下の過程を行う。ページ転換信号が中止されないと、制御部２４はステップ７０７にもどり以降の過程を繰り返す。
【００４４】
上述したが、可変速度信号は、ページ転換信号が連続して発生される場合にのみ後行することができる。従って、可変速度信号に応じた該当速さでページが連続してめくられるアクションを表示しながら、ページが転換される途中でページ転換信号が中止されると、ページ転換は直ちに終了される。
【００４５】
結論的に、本発明による電子書籍端末機におけるページを転換する方法は、紙本との異質感を解消することができる。
【００４６】
尚、本発明は、上述の実施形態に限られるものではない。本発明の技術的範囲から逸脱しない範囲内で多様に変更実施することが可能である。
【符号の説明】
【００４７】
１１    ディスプレイ
１２    キーパッド
１３    スピーカ
１４    マイクロフォン
２１    メモリ部
２２    ディスプレイ部
２３    入力部
２４    制御部
【図１】
2012094145.tif 000003
【図２】
2012094145.tif 000004
【図３】
2012094145.tif 000005
【図４】
2012094145.tif 000006
【図５】
2012094145.tif 000007
【図６】
2012094145.tif 000008
【図７】
2012094145.tif 000009